(57)【特許請求の範囲】
【請求項１】
下記の要件を備えたことを特徴とする可変頭体。
（イ）頭部本体と頭部本体の前部の少なくとも一部を覆うことが可能な前部カバー体とからなること。
（ロ）前部カバー体は、上前部カバーと下前部カバーとからなり、上前部カバーの下部と下前部カバーの上部を回動自在に連結する連結部を有すること。
（ハ）前記前部カバー体は、前記連結部を後方に押圧すると、前記連結部を介して、前記上前部カバーと前記下前部カバーが回動して、前記上前部カバーの下縁と前記下前部カバーの上縁が接合して前記頭部本体の前部の少なくとも一部を覆うこと。
（ニ）前記前部カバー体は、前記連結部を前方に引っ張ることにより、前記連結部を介して、前記上前部カバーと前記下前部カバーが回動し、前記上前部カバーの下縁と前記下前部カバーの上縁との間に隙間が形成され、当該隙間から前記頭部本体の少なくとも一部が表出すること。
【発明の詳細な説明】
【０００１】
【発明の属する技術分野】
本願発明は、人形玩具、ロボット玩具、動物玩具の頭体に関し、詳しくは形態が変化する可変頭体に関するものである。
【０００２】
【従来の技術】
従来、人形玩具等の形態が変化する可変頭体６１は、図５に示すように、頭部本体６２と頭部カバー６３とからなる。頭部本体６２の上部には、取付穴６５が形成されている。頭部カバー６３は、下部に取付軸６６が突設されており、当該取付軸６６を頭部本体６２の取付穴６５に摺動自在に差し込んで頭部本体６２に取り付けられている。取付軸６６の差し込む深さを変えることにより、取付カバー６３が上下して頭部本体６２の表出する部分が変わり、可変頭体６１の形態をを変化させることができる。
【０００３】
【発明が解決しようとする課題】
上記従来の可変頭体６１は、形態の変化が少なく、又取部カバー６３を上方に移動させるだけの動作で形態を変化させるので意外性が乏しく、面白みに欠けるという問題点があった。また頭部カバー６３を上部に大きく移動して形態を変化させるので、瞬間的に形態が変化せず、見ている者を驚かせることができないという問題点もあった。
【０００４】
本願発明は、上記問題点に鑑み案出したものであって、頭部本体を覆うことができ、形態の変化に意外性があって極めて面白く、さらに瞬間的に形態を変化させることができる、従来にない新規な構造の可変頭体を提供することを目的とする。
【０００５】
【課題を解決するための手段】
請求項１記載の可変頭体は、上記目的を達成するため、下記の手段を有する。
（イ）頭部本体と頭部本体の前部の少なくとも一部を覆うことが可能な前部カバー体とからなること。
（ロ）前部カバー体は、上前部カバーと下前部カバーとからなり、上前部カバーの下部と下前部カバーの上部を回動自在に連結する連結部を有すること。
（ハ）前記前部カバー体は、前記連結部を後方に押圧すると、前記連結部を介して、前記上前部カバーと前記下前部カバーが回動して、前記上前部カバーの下縁と前記下前部カバーの上縁が接合して前記頭部本体の前部の少なくとも一部を覆うこと。
（ニ）前記前部カバー体は、前記連結部を前方に引っ張ることにより、前記連結部を介して、前記上前部カバーと前記下前部カバーが回動し、前記上前部カバーの下縁と前記下前部カバーの上縁との間に隙間が形成され、当該隙間から前記頭部本体の少なくとも一部が表出すること。
【０００６】
【発明の実施の形態】
以下、本発明の実施の形態を図面に基づいて説明する。図１は本発明に係る可変頭体の全体斜視図である。図２は、可変頭体の形態を変化させた状態を示す全体斜視図である。図３は、図１の側面断面図である。図４は、図２の側面断面図である。
【０００７】
可変頭体１は、頭部本体２と頭部カバー１０とからなる。頭部本体２は、図示しない胴部等に着脱自在又は一体的に取り付けられ、前部に顔部３が形成されている。顔部３は、略中央に眼部５，５が形成され、眼部５，５の下部にマスク部６が形成されている。又、頭部本体２は、上部に軸受けボス７が設けられている。
【０００８】
頭部カバー１０は、頭部本体２の前部を覆う前部カバー体１１と、頭部本体２の後部を覆う後部カバー体３１とからなる。前部カバー体１１は、上前部カバー１２と、上前部カバー１２の下部に上部が回動自在に連結された下前部カバー１３とからなり、上前部カバー１２の上部が頭部本体２の上部に回動自在に連結されている。
【０００９】
上前部カバー１２は、頭部本体２の前面上部を覆う上前壁１５と、頭部本体２の左側面上部を覆う左上側壁１６と、頭部本体２の右側面上部を覆う右上側壁１７と、頭部本体２の上面前部を覆う前上壁１８からなり、上前壁１５と左上側壁１６と右上側壁１７とで略コ字状に形成されている。前上壁１８の後端には、軸受けボス１９，１９が形成されている。又、左上側壁１６と右上側壁１７の下縁後部には、軸受け部２０，２０が形成されている。
【００１０】
下前部カバー１３は、顔部３のマスク部６の左側に設けられた左下前部カバー２１と、マスク部６の右側に設けられた右下前部カバー２５とからなる。左下前部カバー２１は、頭部本体２の前面下部左側を覆う下左前壁２２と、頭部本体２の左側面下部を覆う左下側壁２３とからなる。右下前部カバー２５は、頭部本体２の前面下部右側を覆う下右前壁２６と、頭部本体２の右側面下部を覆う右下側壁２７とからなる。左下側壁２３と右下側壁２７の上縁後部には、軸受け部３０，３０が形成されている。
【００１１】
後部カバー体３１は、上後部カバー３２と、上後部カバー３２の下部に上部が回動自在に連結された下後部カバー３３とからなり、上後部カバー３２の上部が頭部本体２の上部に回動自在に連結されている。
【００１２】
上後部カバー３２は、頭部本体２の後面上部を覆う上後壁３５と、頭部本体２の左側面上部を覆う左上側壁３６と、頭部本体２の右側面上部を覆う右上側壁３７と、頭部本体２の上面後部を覆う後上壁３８からなり、上後壁３５と左上側壁３６と右上側壁３７とで略コ字状に形成されている。後上壁３８の前端には、軸受けボス３９，３９が形成されている。又、左上側壁３６と右上側壁３７の下縁前部には、軸受け部４０，４０が形成されている。
【００１３】
下後部カバー３３は、頭部本体２の後面下部を覆う下後壁４１と、頭部本体２の左側面下部を覆う左下側壁４２と、頭部本体２の右側面下部を覆う右下側壁４３とからなり、左下側壁４２と右下側壁４３の上縁前部には、軸受け部４５，４５が形成されている。又、下左壁４２と下右壁４３の下縁前部には、軸受け突片４６，４６が突設されている。
【００１４】
上前部カバー１２及び上後部カバー３２は、頭部本体２の軸受けボス７に、上前部カバー１２の一対の軸受けボス１９，１９と上後部カバー３２の一対の軸受けボス３９，３９が重ね合わされ、軸受けボス７、１９，１９、３９，３９に第１の連結軸５１を挿通して、頭部本体２の上部に回動自在に連結されている。
【００１５】
左下前部カバー２１及び右下前部カバー２５は、上前部カバー１２の軸受け部２０，２０に、左下前部カバー２１と右下前部カバー２５の軸受け部３０，３０が重ね合わされ、軸受け部２０，２０、３０，３０に第２の連結軸５２を挿通して、上前部カバー１２の下部に回動自在に連結されている。
【００１６】
下後部カバー３３は、上後部カバー３２の軸受け部４０，４０に下後部カバー３３の軸受け部４５，４５が重ね合わされ、軸受け部４０，４５に第３の連結軸５３を挿通して、上後部カバー３２の下部に回動自在に連結されている。
【００１７】
又、下後部カバー３３は、左下部に形成された軸受け突片４６が左下前部カバー２１の左下側壁２３の後下部に第４の連結軸５４によって回動自在に連結されている。同様に、下後部カバー３３は、右下部に形成された軸受け突片４６が右下前部カバー２５の右下側壁２７の後下部に第４の連結軸５４によって回動自在に連結されている。
【００１８】
可変頭体１は、上記構成を有し、図１に示すように、頭部カバー１０が閉じて頭部本体２を覆っている状態から、図２に示すように、頭部カバー１０が開いて頭部本体２を見せる状態に形態変化させることができる。
【００１９】
図１に示す、頭部カバー１０が閉じて頭部本体２全体を覆っている状態の可変頭体１について説明する。上前部カバー１２の左上側壁１６と右上側壁１７の後縁２８が、上後部カバー３２の左上側壁３６と右上側壁３７の前縁２９に接合している。左下前部カバー２１の左下側壁２３と右下前部カバー２５の右下側壁２７の後縁４７が、下後部カバー３３の左下側壁４２と右下側壁４３の前縁４８に接合している。
【００２０】
上前部カバー１２の下縁４９が、左下前部カバー２１と右下前部カバー２５の上縁５０に接合している。上後部カバー３２の下縁５５が、下後部カバー３３の上縁５６に接合している。下前部カバー１３は、左下前部カバー２１と右下前部カバー２５とからなり、左下前部カバー２１と右下前部カバー２５の間に隙間が形成されているので、その隙間から顔部３のマスク部６が表出している。なお、下前部カバー１３は、左下前部カバー２１と右下前部カバー２５に分割せず、上前部カバー１２と同様に一体に形成し、顔部３全部を覆うようにしても構わない。
【００２１】
次に、図２に示す、頭部カバー１０が開いて、頭部本体２の一部が見られる状態の可変頭体１について説明する。上前部カバー１２と左下前部カバー２１の連結部及び上前部カバー１２と右下前部カバー２５の連結部、即ち第２の連結軸５２を前方に引っ張り、上後部カバー３２と下後部カバー３３の連結部、即ち第３の連結軸５３を後方に引っ張る。上前部カバー１２が第１の連結軸５１を中心として時計方向に回転し、上後部カバー３２が第１の連結軸５１を中心として反時計方向に回転し、左下前部カバー２１と右下前部カバー２５が第４の連結軸５４を中心として反時計方向に回転し、下後部カバー３３が第４の連結軸５４を中心として時計方向に回転する。
【００２２】
上前部カバー１２の左上側壁１６と右上側壁１７の後縁２８と上後部カバー３２の左上側壁３６と右上側壁３７の前縁２９との間に略三角形状の隙間が形成される。同様に、左下前部カバー２１の左下側壁２３と右下前部カバー２５の右下側壁２７の後縁４７と下後部カバー３３の左下側壁４２と右下側壁４３の前縁４８との間に略三角形状の隙間が形成される。このようにして、頭部カバー１０の左右側面に略菱形の隙間５６，５６が形成されることになる。
【００２３】
上前部カバー１２の下縁４９と左下前部カバー２１と右下前部カバー２５の上縁５０との間に隙間５７が形成され、この隙間５７から顔部３の眼部５，５が表出する。同様に、上後部カバー３２の下縁５５と下後部カバー３３の上縁５６との間に隙間が形成され、この隙間から頭部本体２の後頭部が表出する。
【００２４】
次に、上前部カバー１２と左下前部カバー２１の連結部及び上前部カバー１２と右下前部カバー２５の連結部、即ち第２の連結軸５２を後方に押圧し、上後部カバー３２と下後部カバー３３の連結部、即ち第３の連結軸５３を前方に押圧する。図１に示すように、上前部カバー１２の後縁２８と上後部カバー３２の前縁２９が接合し、左下前部カバー２１と右下前部カバー２５の後縁４７と下後部カバー３３の前縁４８が接合し、上前部カバー１２の下縁４９が左下前部カバー２１と右下前部カバー２５の上縁５０に接合し、上後部カバー３２の下縁５５が下後部カバー３３の上縁５６に接合する。このようにして、図１に示すように、頭部カバー１０が頭部本体２を覆うようにすることができる。即ち、頭部カバー１０は、パンダグラフのように伸縮し、伸びると頭部本体２を覆い、縮むと頭部本体２の一部を表出する。
【００２５】
【発明の効果】
以上説明してきたように、本願発明に係る可変頭体は、頭部カバーが頭部本体を覆うことができ、瞬間的に形態を変化させることができる新規な構造を提供することができるという効果がある。また、形態の変化に意外性があり、極めて面白く、見ている者を驚かせることができるという効果がある。
【図面の簡単な説明】
【図１】本発明に係る可変頭体の全体斜視図である。
【図２】可変頭体の形態を変化させた状態を示す全体斜視図である。
【図３】図１の側面断面図である。
【図４】図２の側面断面図である。
【図５】従来技術を示す説明図である。
【符号の説明】
１  可変頭体
２  頭部本体
３  顔部
５  眼部
６  マスク部
１０  頭部カバー
１１  前部カバー体
１２  上前部カバー
１３  下前部カバー
１５  上前壁
１６  左上側壁
１７  右上側壁
１８  前上壁
１９  軸受けボス
２０  軸受け片
２１  左下前部カバー
２２  下左前壁
２３  左下側壁
２５  右下前部カバー
２６  下右前壁
２７  右下側壁
２８  後縁
２９  前縁
３０  軸受け片
３１  後部カバー体
３２  上後部カバー
３３  下後部カバー
３５  上後壁
３６  左上側壁
３７  右上側壁
３８  後上壁
３９  軸受けボス
４０  軸受け片
４１  下後壁
４２  左下側壁
４３  右下側壁
４５  軸受け片
４６  軸受け突片
４７  後縁
４８  前縁
４９  下縁
５０  上縁
５１  第１の連結軸
５２  第２の連結軸
５３  第３の連結軸
５４  第４の連結軸
５５  下縁
５６  上縁
【図１】
0004303370.tif 000002
【図２】
0004303370.tif 000003
【図３】
0004303370.tif 000004
【図４】
0004303370.tif 000005
【図５】
0004303370.tif 000006